(57)【特許請求の範囲】
【請求項１】
符号化された映像データを復号し、得られた映像データを、所定周期に同期し連続的に表示する表示装置へ出力する復号装置であって、
単位時間あたりのフレーム数が可変である符号化方式によって得られる符号データを復号する復号手段と、前記復号手段が復号し出力した映像データを随時メモリに書き込む映像データ書込み手段と、前記メモリに書き込まれた映像データを読み出す映像データ読み出し手段とを具備し、
前記復号手段は、所定フレーム数の映像データの出力が完了する毎に前記映像データ読み出し手段に第１信号を出力し、
前記映像データ読み出し手段は、前記第１信号を入力される毎に前記メモリから映像データを読み出すことにより、前記表示装置へ単位時間あたりのフレーム数が可変である映像データを前記所定周期に非同期かつ間欠的に前記表示装置へ出力することを特徴とする復号装置。
【請求項２】
符号化された映像データを復号し、得られた映像データを、所定周周期に同期し連続的に表示する表示装置へ出力する復号装置であって、
単位時間あたりのフレーム数が可変である符号化方式によって得られる符号データを復号する復号手段と、前記復号手段が復号し出力した映像データを随時メモリに書き込む映像データ書込み手段と、前記メモリに書き込まれた映像データを読み出す映像データ読み出し手段とを具備し、
前記映像データ書込み手段は、所定フレーム数の映像データの書き込みが完了する毎に前記映像データ読み出し手段に第２信号を出力し、
前記映像データ読み出し手段は、前記第２信号を入力される毎に前記メモリから映像データを読み出すことにより、前記表示装置へ単位時間あたりのフレーム数が可変である映像データを前記所定周期に非同期かつ間欠的に前記表示装置へ出力することを特徴とする復号装置。
【請求項３】
制御信号生成手段を具備し、
前記復号手段は、前記所定フレーム数の映像データの出力が完了する毎に前記制御信号生成手段に前記第１信号を出力し、
前記制御信号生成手段は、前記第１信号を入力される毎に前記映像データ読み出し手段が前記所定フレーム数の映像データを前記表示装置へ出力するタイミングを示す制御信号を生成し、前記表示装置へ出力することを特徴とする請求項１記載の復号装置。
【請求項４】
制御信号生成手段を具備し、
前記映像データ書込み手段は、前記所定フレーム数の映像データの書込みが完了する毎に前記制御信号生成手段に前記第２信号を出力し、
前記制御信号生成手段は、前記第２信号を入力される毎に前記映像データ読み出し手段が前記所定フレーム数の映像データを前記表示装置へ出力するタイミングを示す制御信号を生成し、前記表示装置へ出力することを特徴とする請求項２記載の復号装置。
【請求項５】
前記映像データ読み出し手段は、前記表示装置の駆動周波数の逆数で決まる時間毎に１フレームの速度で前記メモリから映像データを読み出すことを特徴とする請求項１から請求項４のいずれかに記載の復号装置。
【請求項６】
請求項１から請求項５のいずれかに記載の復号装置を具備することを特徴とする電子装置。
【請求項７】
請求項６に記載の電子装置を具備することを特徴とする無線通信端末装置。
【発明の詳細な説明】
【０００１】
【発明の属する技術分野】
本発明は、復号装置、電子装置及び無線通信端末装置に関する。
【０００２】
【従来の技術】
一般に、テレビジョン受像機や液晶パネルなど表示装置を備えた電子装置への映像データの転送は、表示画面にちらつきが生じないように定められたリフレッシュ周期からなるフレームタイミング毎に、繰り返し連続して行われる。この場合、表示装置に映像データを転送する回路を高い周波数で常に動作させておく必要があり、これが消費電力の増大につながることがある。
【０００３】
この問題に対して対策を講じた電子装置として、例えば特開平６−１３０９１０号公報（マトリクス型表示装置、マトリクス型表示制御装置及びマトリクス型表示駆動装置）に開示されているものがある。この装置は、映像を表示するＬＣＤモジュールに内部記憶手段を内蔵し、ＭＰＵ（マイクロ・プロセッサ・ユニット）が制御するシステムバスに接続した映像データの外部記憶手段を備えた構成を採り、内部記憶手段と外部記憶手段との間の映像データ転送を間欠的に行っている。この間欠的な映像データ転送に必要な高周波クロックは、映像データ転送を行う時にだけ発信される。高周波クロック発信源の起動と映像データ転送の実行は、外部記憶手段が接続しているシステムバスの動作を専用回路にて監視し、ＭＰＵが内部記憶手段の内容を変更したことを検出することにより行う。
【０００４】
また、映像データ転送を間欠的に行うことは、ＭＰＥＧ−４のように伝送のため符号化される映像データの単位時間あたりのフレーム数が符号化される映像の複雑さ・動きの大きさ等により変動する方式において低消費電力化を図る上で有効である。
【０００５】
【発明が解決しようとする課題】
しかしながら、この種の電子装置では、間欠的に動作する高周波クロック発振源、及びその動作を制御するためのバスの動作を監視する回路が必要になる。また、一般にＭＰＥＧ−４で符号化された映像データを復号する復号装置を具備する電子装置には、復号装置を動作させるため常時動作している高周波クロック源が存在するため、表示装置専用に間欠的に動作する高周波クロック発振源を設けると低消費電力の障害になる。また、ＭＰＵの監視に要する処理負担が大きくなり、ＭＰＵの有効活用ができないことがある。
【０００６】
本発明はかかる点に鑑みてなされたものであり、外部に付属回路を設けることなく表示装置に間欠的に映像データを転送し、映像通信用の携帯端末装置などの小型化、低消費電力化を図ることができ、ＭＰＵの監視に要する処理負担を軽減することができる復号装置、電子装置及び無線通信端末装置を提供することを目的とする。
【０００７】
【課題を解決するための手段】
本発明の復号装置は、符号化された映像データを復号し、得られた映像データを所定周期に同期し連続的に表示する表示装置へ出力する復号装置であって、単位時間あたりのフレーム数が可変である符号化方式によって得られる符号データを復号する復号手段と、前記復号手段が復号し出力した映像データを随時メモリに書き込む映像データ書込み手段と、前記メモリに書き込まれた映像データを読み出す映像データ読み出し手段とを具備し、前記復号手段は、所定フレーム数の映像データの出力が完了する毎に前記映像データ読み出し手段に第１信号を出力し、前記映像データ読み出し手段は、前記第１信号を入力される毎に前記メモリから映像データを読み出すことにより、前記表示装置へ単位時間あたりのフレーム数が可変である映像データを前記所定周期に非同期かつ間欠的に前記表示装置へ出力する構成を採る。
【０００８】
本発明の復号装置は、符号化された映像データを復号し、得られた映像データを、所定周周期に同期し連続的に表示する表示装置へ出力する復号装置であって、単位時間あたりのフレーム数が可変である符号化方式によって得られる符号データを復号する復号手段と、前記復号手段が復号し出力した映像データを随時メモリに書き込む映像データ書込み手段と、前記メモリに書き込まれた映像データを読み出す映像データ読み出し手段とを具備し、前記映像データ書込み手段は、所定フレーム数の映像データの書き込みが完了する毎に前記映像データ読み出し手段に第２信号を出力し、前記映像データ読み出し手段は、前記第２信号を入力される毎に前記メモリから映像データを読み出すことにより、前記表示装置へ単位時間あたりのフレーム数が可変である映像データを前記所定周期に非同期かつ間欠的に前記表示装置へ出力する構成を採る。
【０００９】
本発明の復号装置は、制御信号生成手段を具備し、前記復号手段は、前記所定フレーム数の映像データの出力が完了する毎に前記制御信号生成手段に前記第１信号を出力し、前記制御信号生成手段は、前記第１信号を入力される毎に前記映像データ読み出し手段が前記所定フレーム数の映像データを前記表示装置へ出力するタイミングを示す制御信号を生成し、前記表示装置へ出力する構成を採る。
【００１０】
本発明の復号装置は、制御信号生成手段を具備し、前記映像データ書込み手段は、前記所定フレーム数の映像データの書込みが完了する毎に前記制御信号生成手段に前記第２信号を出力し、前記制御信号生成手段は、前記第２信号を入力される毎に前記映像データ読み出し手段が前記所定フレーム数の映像データを前記表示装置へ出力するタイミングを示す制御信号を生成し、前記表示装置へ出力する構成を採る。
【００１１】
本発明の復号装置は、前記映像データ読み出し手段は、前記表示装置の駆動周波数の逆数で決まる時間毎に１フレームの速度で前記メモリから映像データを読み出す構成を採る。
【００１３】
これらの構成により、復号後の映像データを所定量に達するまで記憶し、所定量に達した時点で表示装置に映像データを転送することができるので、簡単な構成で表示装置に間欠的に映像データを転送することができる。
【００１７】
本発明の電子装置は、上記復号装置を具備する構成を採る。また、本発明の無線通信端末装置は、上記電子装置を具備する構成を採る。
【００１８】
これにより、装置の小型化、低消費電力化を図ることができ、ＭＰＵの監視に要する処理負担を軽減することができる。
【００２１】
【発明の実施の形態】
本発明の骨子は、復号後の映像データを所定量に達するまで記憶し、所定量に達した時点で表示装置に映像データを転送することにより、外部に付属回路を設けることなく表示装置に間欠的に映像データを転送し、映像通信用の携帯端末装置などの小型化、低消費電力化を図ることである。
【００２２】
以下、本発明の実施の形態について、図面を参照して詳細に説明する。
【００２３】
（実施の形態１）
図１は、本発明の実施の形態１に係る電子装置の構成を示すブロック図である。図１の電子装置１００は復号装置１０１と表示装置１２１とから主に構成され、復号装置１０１及び表示装置１２１は、移動体通信における携帯電話機、携帯テレビ電話機等の通信端末機、または有線回線で接続される据え置き型の電話機やテレビ電話機、さらにはテレビ受像機、コンピュータ及びコンピュータ機能を有する情報端末装置等に用いられるものである。
【００２４】
図１において、復号装置１０１は、映像データを符号化した符号データを入力する符号データ入力部１１０と、符号データから映像データを復号する復号部１１１と、復号された映像データを記憶する記憶部１１３と、復号された映像データを記憶部１１３に書き込む映像データ書込み部１１２と、を有する。また、復号装置１０１は、記憶部１１３に書き込まれた映像データを復号部１１１からの通知毎に読み出す映像データ読出し部１１４と、復号部１１１からの通知毎に制御信号を生成する制御信号生成部１１５と、読出し部１１４より出力された映像データを表示装置１２１に出力する映像データ出力部１１６と、制御信号生成部１１５より出力された制御信号を表示装置１２１に出力する制御信号出力部１１７と、を有する。
【００２５】
表示装置１２１は、映像データ出力部１１６より出力された映像データを入力する映像データ入力部１３１と、制御信号出力部１１７より出力された制御信号を入力する制御信号入力部１３２と、復号された映像データを記憶する記憶部１３４と、復号された映像データを記憶部１３４に書き込む映像データ書込み部１３３と、を有する。また、表示装置１２１は、記憶部１３４に書き込まれた映像データを読み出す映像データ読出し部１３５と、映像データ読出し部１３５で読み出された映像データに基づいて映像表示体１３７を駆動させる駆動部１３６と、を有する。
【００２６】
図２は、図１における電子装置１００の動作を説明するタイミング図である。図２において、映像データを符号化した符号データ２００は、例えばＭＰＥＧ−４などの可変長符号化方式により符号化されており、１フレーム毎の符号データ量が異なり、また符号化された映像データの複雑さや動きの大きさ等の特徴によって単位時間あたりのフレーム数が一定しないものとする。
【００２７】
符号データ２００は、符号データ入力部１１０を通して復号部１１１へ入力される。復号部１１１は、入力された符号データ２００を映像データ２０１に復号し、復号に要する復号遅延の後、映像データ２０１を映像データ書込み部１１２に随時出力する。そして、復号部１１１は、所定量（例えば１フレーム分）の映像データ２０１を出力する毎に、復号完了通知信号２０４を映像データ読出し部１１４と制御信号生成部１１５に出力する。
【００２８】
映像データ書込み部１１２は、映像データ２０１を記憶部１１３に随時書き込む。映像データ読出し部１１４は、復号完了通知信号２０４を入力したタイミングで間欠的に動作し、記憶部１１３から所定量の映像データ２０１を読み出して映像データ出力部１１６へ出力する。制御信号生成部１１５は、復号手段にて復号された映像データの中で新規部分を指示する制御信号２０６を生成し、復号完了通知信号２０４により映像データ読出し部１１４が映像データ出力部１１６から出力するタイミングに合わせて制御信号２０６を制御信号出力部１１７へ出力する。
【００２９】
映像データ２０１は、映像データ出力部１１６、映像データ入力部１３１を介して映像データ書込み部１３３に入力される。制御信号２０６は、制御信号出力部１１７、制御信号入力部１３２を介して映像データ書込み部１３３に入力される。
【００３０】
表示装置１２１の映像データ書込み部１３３は、制御信号２０６を入力したタイミングで間欠的に動作し、映像データ入力部１３１から入力された映像データ２０１の中で制御信号２０６に指示された部分だけを記憶部１３４へ書き込む。映像データ読出し部１３５は、映像表示体１３７にちらつきが生じないように定められた一定のフレーム周波数ｆHzの周期で繰り返し連続的に記憶部１３４から映像データ２０１を読み出し、駆動部１３６へ出力する。駆動部１３６は、入力された映像データ２０１に基づいて映像表示体１３７を駆動させる。
【００３１】
このように、本実施の形態によれば、復号後の映像データを所定量に達するまで記憶し、所定量に達した時点で表示装置に映像データを転送することにより、簡単な構成で復号装置から表示装置に間欠的に映像データを転送することができる。また、表示装置１２１の映像表示体１３７を駆動するフレーム周波数ｆHzの逆数として決まる（１／ｆ）secにかかわらず、非同期かつ間欠的に映像データを転送することができる。
【００３２】
なお、本実施の形態では、記憶部１１３、１３４をいずれもシングルポート構成にしたが、本発明は、一方をデュアルポートまたは両方ともデュアルポート構成にしてもよい。デュアルポート構成にすることにより、映像データ書込み部１１２（１３３）と映像データ読出し部１１４（１３５）とが同時に記憶部１１３(１３４)にアクセスすることができるので、動作クロックを低減することができる。
【００３３】
さらに、映像データ読出し部１１４が記憶部１１３から所定量の映像データを読み出すのに要する時間、及び映像データ書込み部１３３が記憶部１３３に所定量の映像データを書き込むのに要する時間を（１／ｆ）sec以下にすれば、記憶部１３４をシングルバッファ構成として表示にちらつきを生ぜずに映像データの書換えを行うことができる。
【００３４】
また、本実施の形態では、復号部１１１が所定量の映像データ２０１を出力する毎に復号完了通知信号２０４を出力する構成としたが、本発明では、映像データ書き込み部１１２が所定量の映像データ２０１を書き込む毎に、書込み完了通知信号を映像データ読出し部１１４と制御信号生成部１１５に出力する構成としたものであってもよい。
【００３５】
また、本発明では、図２に示した制御信号２０６の代りに、図３のタイミングチャートに示すように、画像信号として一般的な水平同期信号や垂直同期信号のような同期信号を制御信号３０６として用いても同様の効果を得ることができる。
【００３６】
また、本発明では、復号部１１１が復号完了通知信号２０４を制御信号生成部１１５のみに出力し、図４のタイミングチャートに示すように、映像データ読出し部１１４が記憶部１１３から連続的に映像データの読み出しを行い、制御信号生成部１１５が、新たに更新された映像データを出力する期間のみ有効とする制御信号４０６を出力するようにしてもよい。
【００３７】
（実施の形態２）
実施の形態２では、図５に実施の形態１よりも具体的な応用例である携帯電話機の構成を示し、その説明を行う。映像通信可能な携帯電話機５００には、アンテナ５１１、ＲＦ部５１２、べ−スバンド信号処理部５１３、制御部５１４、音声コーデック５１５、スピーカ５１６、マイク５１７が設けられている。また、携帯電話機５００には、システムバス５１８、カメラ５１９、ＭＰＥＧ−４コーデック５２０、図１に示した表示装置１２１に対応する表示装置５２１が設けられている。ＭＰＥＧ−４コーデック５２０の中には、符号化装置５２２及び図１に示した復号装置１０１に対応する復号装置５２３が設けられている。表示装置５２１の主要部はＬＣＤパネル５２４により構成され、ＬＣＤパネル５２４は復号装置５２３と接続されている。
【００３８】
アンテナ５１１に受信された信号は、ＲＦ部５１２で所定の無線処理を施され、べ−スバンド信号処理部５１３で音声符号データと映像符号データに分離される。べ−スバンド信号処理部５１３から出力された音声符号データは、システムバス５１８を介して音声コーデック５１５に入力され、音声コーデック５１５で音声データに復号され、スピーカ５１６から音声として出力される。
【００３９】
マイク５１７に集音された音声は、音声コーデック５１５で音声符号データに変換される。音声コーデック５１５から出力された音声符号データは、システムバス５１８を介してべ−スバンド信号処理部５１３に入力される。
【００４０】
べ−スバンド信号処理部５１３から出力された映像符号データは、システムバス５１８を介して復号装置５２３に入力される。また、カメラ５１９で撮られた映像は、符号化装置５２２で映像符号データに変換され、システムバス５１８を介してべ−スバンド信号処理部５１３あるいは復号装置５２３に入力される。
【００４１】
べ−スバンド信号処理部５１３に入力された音声符号データ及び映像符号データは、べ−スバンド信号処理部５１３で多重され、ＲＦ部５１２で所定の無線処理を施された後、アンテナ５１１から無線送信される。
【００４２】
復号装置５２３に入力された映像符号データは、実施の形態１で説明したように映像データに復号され、間欠的に表示装置５２１のＬＣＤパネル５２４に出力される。このとき、復号装置５２３では制御信号も生成され、映像データの出力に合わせて制御信号が復号装置５２３から表示装置５２１のＬＣＤパネル５２４に出力される。
【００４３】
このように、映像データは、システムバスを介さずに復号装置５２３から表示装置５２１に転送されるので、携帯電話機装置５００の他の処理には全く負荷がかからない。
【００４４】
なお、本実施の形態において携帯電話機を例として説明したが、本発明は、移動体通信における携帯電話機、携帯テレビ電話機等の通信端末機、または有線回線で接続される据え置き型の電話機やテレビ電話機、さらにはテレビ受像機、コンピュータ及びコンピュータ機能を有する情報端末装置等に用いることができる。
【００４５】
【発明の効果】
以上説明したように、本発明によれば、外部に付属回路を設けることなく復号装置から表示装置に間欠的に映像データを転送し、映像通信用の携帯端末装置などの小型化、低消費電力化を図ることができ、ＭＰＵの監視に要する処理負担を軽減することができる。
【図面の簡単な説明】
【図１】本発明の実施の形態１に係る電子装置の構成を示すブロック図
【図２】図１における電子装置の動作を説明するタイミングチャート
【図３】図１における電子装置の動作を説明するタイミングチャート
【図４】図１における電子装置の動作を説明するタイミングチャート
【図５】本発明の実施の形態２に係る電子装置を適用した携帯電話機を示すブロック図
【符号の説明】
１００  電子装置
１０１  復号装置
１２１  表示装置
１１０  符号データ入力部
１１１  復号部
１１２  映像データ書込み部
１１３  記憶部
１１４  映像データ読出し部
１１５  制御信号生成部
１１６  映像データ出力部
１１７  制御信号出力部
１３１  映像データ入力部
１３２  制御信号入力部
１３３  映像データ書込み部
１３４  記憶部
１３５  映像データ読出し部
１３６  駆動部
１３７  映像表示体
【図１】
0004781575.tif 000002
【図２】
0004781575.tif 000003
【図３】
0004781575.tif 000004
【図４】
0004781575.tif 000005
【図５】
0004781575.tif 000006